(57)【特許請求の範囲】
【請求項１】
画像データを供給する供給手段と、
この供給手段から供給される画像データを転送するための同期クロック信号を発生するクロック信号発生手段と、
このクロック信号発生手段で発生されたクロック信号に応じて、画像エリア開始信号を含み上記供給手段から供給される画像データを送出する画像データ送出手段と、
この画像データ送出手段から送出された画像データに含まれる画像エリア開始信号により上記クロック信号発生手段で発生されたクロック信号との位相差の補正量を判断する判断手段と、
この判断手段で判断された補正量に基づき補正画像エリア情報を供給する補正手段と、
この補正手段から供給される補正画像エリア情報に同期して上記画像データ送出手段から送出された画像データを受信する画像データ受信手段と、
を具備したことを特徴とする画像データ送受信装置。
【請求項２】
画像データを供給する供給手段と、
この供給手段から供給される画像データを転送するための同期クロック信号を発生するクロック信号発生手段と、
このクロック信号発生手段で発生されたクロック信号に応じて、画像エリア開始信号を含み上記供給手段から供給される画像データを送出する画像データ送出手段と、
この画像データ送出手段から送出された画像データに含まれる画像エリア開始信号により上記クロック信号発生手段で発生されたクロック信号との位相差の補正量を判断する判断手段と、
この判断手段で判断された補正量に基づき補正画像エリア情報を供給する補正手段と、
この補正手段から供給される補正画像エリア情報に同期して上記画像データ送出手段から送出された画像データを受信する画像データ受信手段と、
この画像データ受信手段にて受信された画像データに従い画像を形成する画像形成手段と、
を具備したことを特徴とする画像形成装置。
【請求項３】
画像データを供給する供給手段と、
この供給手段から供給される画像データを転送するための同期クロック信号を発生するクロック信号発生手段と、
このクロック信号発生手段で発生されたクロック信号に応じて、画像エリア開始信号と上記供給手段から供給される画像データとを送出する画像データ送出手段と、
この画像データ送出手段から送出された画像エリア開始信号により上記クロック信号発生手段で発生されたクロック信号との位相差の補正量を判断する判断手段と、
この判断手段で判断された補正量に基づき補正画像エリア情報を供給する補正手段と、
この補正手段から供給される補正画像エリア情報に同期して上記画像データ送出手段から送出された画像データを受信する画像データ受信手段と、
を具備したことを特徴とする画像データ送受信装置。
【請求項４】
画像データを供給する供給手段と、
この供給手段から供給される画像データを転送するための同期クロック信号を発生するクロック信号発生手段と、
このクロック信号発生手段で発生されたクロック信号に応じて、画像エリア開始信号と上記供給手段から供給される画像データとを送出する画像データ送出手段と、
この画像データ送出手段から送出された画像エリア開始信号により上記クロック信号発生手段で発生されたクロック信号との位相差の補正量を判断する判断手段と、
この判断手段で判断された補正量に基づき補正画像エリア情報を供給する補正手段と、
この補正手段から供給される補正画像エリア情報に同期して上記画像データ送出手段から送出された画像データを受信する画像データ受信手段と、
この画像データ受信手段にて受信された画像データに従い画像を形成する画像形成手段と、
を具備したことを特徴とする画像形成装置。
【発明の詳細な説明】
【０００１】
【産業上の利用分野】
この発明は、例えば外部から供給される画像データを内部から発生されたビデオクロックを用いて受信する形式の画像形成装置に適用されるデータ送受信装置に関する。
【０００２】
【従来の技術】
近年、レーザプリンタ装置等の画像形成装置においては、種々の外部出力装置（ホスト装置）と接続されてプリントアウトが行われている。ホスト装置からケーブルを介して送られてくる画像データは、レーザプリンタ装置に装着されている外部装置コントローラを介してレーザプリンタ装置本体に入力される。
【０００３】
レーザプリンタ装置が画像形成動作に入る場合、ホスト装置から外部コントローラを介して供給される画像データを、レーザプリンタ装置の制御部で発生されるビデオクロックに同期させて画像形成が行われる。この種のビデオクロックは、特開昭５１−４６１４１号公報に記述されている。すなわち、レーザプリンタ装置の制御部で発生されるビデオクロックが外部装置コントローラに供給され、外部装置コントローラがこの供給されたビデオクロックに応じて画像データを送出することにより、レーザプリンタ装置で画像形成が行われるものである。
【０００４】
しかしながら、外部装置コントローラ内部における素子等により、画像データの出力タイミングはビデオクロックに対して遅れを生じ、画像データとビデオクロックとの間で位相差が発生する。この位相差は、外部装置コントローラによって異なっている。
【０００５】
この位相差をなくすために、制御部で発生するビデオクロックを外部装置コントローラの画像データ出力用と、レーザプリンタ装置の画像形成用とに分け、画像形成用のビデオクロック数の変更や、画像データ出力にディレイ素子等の信号調整部を付加するなどして画像データの同期調整を行なっていた。しかしながら、ビデオクロック数の変更や信号調整部の付加は面倒であるとともにコスト上昇の一因ともなっていた。
【０００６】
【発明が解決しようとする課題】
上記したように外部装置コントローラ内部における素子等により、画像データの出力タイミングは画像形成用のビデオクロックに対して遅れを生じ、画像データと画像形成用のビデオクロックとの間に位相差が発生する。そのために、この位相差に対して画像形成用のビデオクロック数の変更や、画像データ出力にディレイ素子等の信号調整部を付加しなければならないという問題があった。
【０００７】
そこで、この発明は、ビデオクロック数を変更することなく、信号調整部を付加することもなく、簡単な構成で内部ビデオクロックを外部から供給された画像データに自動的に同期させることのできる画像データ送受信装置を提供することを目的とする。
【０００８】
【課題を解決するための手段】
この発明のデータ送受信装置は、画像データを供給する供給手段と、この供給手段から供給される画像データを転送するための同期クロック信号を発生するクロック信号発生手段と、このクロック信号発生手段で発生されたクロック信号に応じて、画像エリア開始信号を含み上記供給手段から供給される画像データを送出する画像データ送出手段と、この画像データ送出手段から送出された画像データに含まれる画像エリア開始信号により上記クロック信号発生手段で発生されたクロック信号との位相差の補正量を判断する判断手段と、この判断手段で判断された補正量に基づき補正画像エリア情報を供給する補正手段と、この補正手段から供給される補正画像エリア情報に同期して上記画像データ送出手段から送出された画像データを受信する画像データ受信手段とから構成されている。
また、この発明のデータ送受信装置は、画像データを供給する供給手段と、この供給手段から供給される画像データを転送するための同期クロック信号を発生するクロック信号発生手段と、このクロック信号発生手段で発生されたクロック信号に応じて、画像エリア開始信号と上記供給手段から供給される画像データとを送出する画像データ送出手段と、この画像データ送出手段から送出された画像エリア開始信号により上記クロック信号発生手段で発生されたクロック信号との位相差の補正量を判断する判断手段と、この判断手段で判断された補正量に基づき補正画像エリア情報を供給する補正手段と、この補正手段から供給される補正画像エリア情報に同期して上記画像データ送出手段から送出された画像データを受信する画像データ受信手段とから構成されている。
【０００９】
この発明の画像形成装置は、画像データを供給する供給手段と、この供給手段から供給される画像データを転送するための同期クロック信号を発生するクロック信号発生手段と、このクロック信号発生手段で発生されたクロック信号に応じて、画像エリア開始信号を含み上記供給手段から供給される画像データを送出する画像データ送出手段と、この画像データ送出手段から送出された画像データに含まれる画像エリア開始信号により上記クロック信号発生手段で発生されたクロック信号との位相差の補正量を判断する判断手段と、この判断手段で判断された補正量に基づき補正画像エリア情報を供給する補正手段と、この補正手段から供給される補正画像エリア情報に同期して上記画像データ送出手段から送出された画像データを受信する画像データ受信手段と、この画像データ受信手段にて受信された画像データに従い画像を形成する画像形成手段とから構成されている。
また、この発明の画像形成装置は、画像データを供給する供給手段と、この供給手段から供給される画像データを転送するための同期クロック信号を発生するクロック信号発生手段と、このクロック信号発生手段で発生されたクロック信号に応じて、画像エリア開始信号と上記供給手段から供給される画像データとを送出する画像データ送出手段と、この画像データ送出手段から送出された画像エリア開始信号により上記クロック信号発生手段で発生されたクロック信号との位相差の補正量を判断する判断手段と、この判断手段で判断された補正量に基づき補正画像エリア情報を供給する補正手段と、この補正手段から供給される補正画像エリア情報に同期して上記画像データ送出手段から送出された画像データを受信する画像データ受信手段と、この画像データ受信手段にて受信された画像データに従い画像を形成する画像形成手段とから構成されている。
【００１０】
【作用】
この発明は、画像データを供給し、供給される画像データを転送するための同期クロック信号をクロック信号発生手段で発生し、発生されたクロック信号に応じて、画像エリア開始信号を含み供給される画像データを画像データ送出手段で送出し、送出された画像データに含まれる画像エリア開始信号により上記クロック信号発生手段で発生されたクロック信号との位相差の補正量を判断し、判断された補正量に基づき補正画像エリア情報を供給し、供給される補正画像エリア情報に同期して上記画像データ送出手段から送出された画像データを受信するようにしたものである。
また、この発明は、画像データを供給し、供給される画像データを転送するための同期クロック信号をクロック信号発生手段で発生し、発生されたクロック信号に応じて、画像エリア開始信号と供給される画像データとを画像データ送出手段で送出し、送出された画像エリア開始信号により上記クロック信号発生手段で発生されたクロック信号との位相差の補正量を判断し、判断された補正量に基づき補正画像エリア情報を供給し、供給される補正画像エリア情報に同期して上記画像データ送出手段から送出された画像データを受信するようにしたものである。
【００１１】
この発明は、画像データを供給し、供給される画像データを転送するための同期クロック信号をクロック信号発生手段で発生し、発生されたクロック信号に応じて、画像エリア開始信号を含み上記供給手段から供給される画像データを画像データ送出手段で送出し、送出された画像データに含まれる画像エリア開始信号により上記クロック信号発生手段で発生されたクロック信号との位相差の補正量を判断し、判断された補正量に基づき補正画像エリア情報を供給し、供給される補正画像エリア情報に同期して上記画像データ送出手段から送出された画像データを受信し、受信された画像データに従い画像を形成するようにしたものである。
また、この発明は、画像データを供給し、供給される画像データを転送するための同期クロック信号をクロック信号発生手段で発生し、発生されたクロック信号に応じて、画像エリア開始信号と供給される画像データとを画像データ送出手段で送出し、送出された画像エリア開始信号により上記クロック信号発生手段で発生されたクロック信号との位相差の補正量を判断し、判断された補正量に基づき補正画像エリア情報を供給し、供給される補正画像エリア情報に同期して上記画像データ送出手段から送出された画像データを受信し、受信された画像データに従い画像を形成する。
【００１２】
【実施例】
以下、この発明の一実施例について図面を参照して説明する。
【００１３】
図１は、この発明の画像データ送受信装置を備えた画像形成装置、例えばレーザプリンタ装置を用いたシステム全体の構成を示すものである。
【００１４】
このシステムは、レーザプリンタ装置１と外部装置コントローラ４と、電子計算機やワードプロセッサなどの外部出力装置であるホスト装置１００  とから構成されている。
【００１５】
ホスト装置１００  は、ケーブルＣを介して外部装置コントローラ４に接続されている。外部装置コントローラ４は、図示しない外部装置インターフェイスコネクタを介してレーザプリンタ装置１と接続されている。レーザプリンタ装置１は、全体の制御を司る制御部２、および後述する各部からなるプリンタエンジン８０とから構成されている。
【００１６】
レーザプリンタ装置１は、ホスト装置１００  と、外部装置コントローラ４を介して結合された状態となっていて、ホスト装置１００  より印刷開始信号を受けると画像形成動作を開始し、ホスト装置１００  から供給される画像データに基づき、用紙に画像を記録して出力するようになっている。
【００１７】
また、本実施例は、後述するが外部コントローラ４からの画像エリア開始信号によって、内部ビデオクロックを外部から供給された画像データに自動的に同期させるものである。
【００１８】
図２は、他の実施例を示すもので、後述するが外部コントローラ４からの画像データのｎ個を用いて内部ビデオクロックを外部から供給された画像データに自動的に同期させるものである。
【００１９】
図３乃至図６において、レーザプリンタ装置１を説明する。すなわち、装置本体１はその上面に開放部１ａを有している。また、この装置本体１内の中央部には、主制御基板（制御部）２が配置されている。そして、この主制御基板２の後方（図４の右側方向）には、画像の形成を行うための電子写真プロセスユニット３が配置されている。さらに、装置本体１の前方下部には複数枚の機能追加用制御基板（外部装置コントローラ）４，…を収容する制御基板収容部５が、また前方上部には画像の記録された用紙が排出される排紙部６が形成されている。
【００２０】
前記機能追加用制御基板４，…は、機能の追加（たとえば、書体、漢字などの種類を増設するなど）の程度に応じて最大３枚まで装着できるようになっている。
【００２１】
また、前記制御基板収容部５の最下段に位置する機能追加用制御基板４の前端縁部には、ＩＣカード用コネクタ１６が複数（例えば、３個）配設されており、記憶媒体としてのＩＣカード１７を挿入することにより、されに機能を追加することができるようになっている。
【００２２】
ＩＣカード１７は、不揮発性メモリ、たとえばバッテリバックアップ付きのスタティクＲＡＭ、ＥＥＰＲＯＭ、ＥＰＲＯＭ、あるいはマスクＲＯＭなどにより構成されるものである。これらＩＣカード１７には、たとえば文字フォント、エミュレーションプログラムなどが記憶されている。
【００２３】
一方、前記制御基板収容部５の最下段に位置する機能追加用制御基板４，…の左端面部には、２つのインターフェイスが配設されており、これらインターフェイスは装置本体１の開口部（いずれも図示しない）に対向されて設けられている。
【００２４】
また、装置本体１内の下部は、多数枚の用紙Ｐ，…が収納可能な給紙カセット７を収容するカセット収容部８となっている。給紙カセット７は、カセット収容部８に対して前面下部より挿入されて装着されるものであり、図に矢印で示す方向に着脱自在とされている。
【００２５】
前記排紙部６は、装置本体１の前部上面に一段低く形成された凹所からなり、その前端縁部には、排紙部６に折り重ねたり、図のように展開できる回動可能な排紙トレイ９が設けられている。この排紙トレイ９の前端中央部には、略コ字状の切欠部が形成されており、この切欠部には、収容したり、展開できる補助排紙トレイ１０が設けられている。これにより、排紙される用紙のサイズに応じて排紙トレイ９の大きさを調節できるようになっている。
【００２６】
この排紙部６の左側に位置する装置本体１の左枠部の上面には、操作パネル１４が、そして装置本体１の後面側には、用紙を手差しにより給紙する手差しトレイ１５が設けられている。
【００２７】
操作パネル１４には、枚数、モード、案内メッセージなどを表示する液晶表示器、各種の状態をライト・エミッティング・ダイオードにより点灯表示するＬＥＤ表示器、および各種の動作を指示するスイッチが設けられている。
【００２８】
上記ＬＥＤ表示器は、外部機器（例えば、ホスト装置）とつながっているか否か、つまりオンライン／オフラインのモードを示す「オンライン」、装置本体１が動作可能な状態にあることを示す「レディ」、画像転送中であることを示す「データ」、オペレータコールを要請する「オペレータ」、サービスコールを要請する「サービス」、オート／マニュアルを示す「モード」の各表示器により構成されている。
【００２９】
前記スイッチは、例えばメニューキー、バリューキー、およびテンキーなどにより構成されている。上記メニューキーは、「次項目」および「前項目」の２つのキーにより構成され、液晶表示器の左半分に表示される複数のメニュー情報が、「次項目」キーを押すごとにインクリメントされ、また「前項目」キーを押すごとにデクリメントされるようになっている。そして、これらの表示動作は、キーの操作に応じてサイクリックに繰り返されるようになっている。上記バリューキーも「次項目」および「前項目」の２つのキーにより構成され、液晶表示器の左半分に表示されるメニュー情報に対応した複数のバリュー情報が、「次項目」キーを押すごとにインクリメントされ、また「前項目」キーを押すごとにデクリメントされるようになっている。そして、これらの表示動作も、キーの操作に応じてサイクリックに繰り返されるようになっている。
【００３０】
従って、オペレータは、上記メニューキーおよびバリューキーを操作することにより所望の動作を選択し、指示できるようになっている。
【００３１】
次に、帯電，像露光，現像，転写，剥離，清掃（クリーニング）および定着などの画像形成動作について説明する。すなわち、ユニット収容部のほぼ中央部には、像担持体としてのドラム状の感光体２０が配置されている。この感光体２０の周囲には、その回転方向に沿ってスコロトロンからなる帯電手段２１、露光部において静電潜像を形成するレーザ露光ユニット２２、現像工程と清掃工程とを同時に行う磁気ブラシ式の現像ユニット２３、スコロトロンからなる転写手段２４、ブラシ部材からなるメモリ除去手段２５、および前露光手段２６が順次配設されている。そして、これらのうち、感光体２０、帯電手段２１、現像ユニット２３、およびメモリ除去手段２５を一体化してなる電子写真プロセスユニット３が、装置本体１内に着脱可能に設けられている。
【００３２】
現像ユニット２３は、トナーｔとキャリアｃとからなる二成分現像剤Ｄを用いるようになっている。
【００３３】
また、装置本体１内には、給紙カセット７から給紙手段２７を介して自動給紙された用紙Ｐ、および手差しトレイ１５から手差し給紙された用紙Ｐを、前記感光体２０と転写手段２４との間の画像転写部を経て排紙部６に導く用紙搬送路２９が形成されている。
【００３４】
この用紙搬送路２９の画像転写部の上流側には、搬送ローラ対３０、アライニングローラ対３１、および搬送ローラ対３２が配置されている。また、下流側には、定着ユニット３３および排紙ローラユニット３４がそれぞれ配置されている。
【００３５】
上記搬送ローラ対３２の配設位置の上方には冷却ファンユニット３５が配設され、またアライニングローラ対３１の近傍にはアライニングスイッチ３６が設けられ、さらに画像転写部の上方には搬送ガイド３７が設けられている。
【００３６】
なお、給紙手段２７の近傍にはペーパエンプティスイッチ３２０が設けられており、給紙カセット内の用紙Ｐの有無を検知するようになっている。また、搬送ローラ対３２の近傍には手差しスイッチ３２１が、そして排紙ローラユニット３４の近傍には排紙スイッチ３２２がそれぞれ設けられている。
【００３７】
しかして、画像形成動作にあたっては、まず図１に示したホスト装置１００  からの印刷開始信号を受けることにより、感光体２０が回転される。そして、この感光体２０の表面電位が前露光手段２６により一定に保たれるとともに、帯電手段２１により一様に帯電される。
【００３８】
この状態において、ホスト装置１００  からのドットイメージデータを受けて変調されたレーザビームａがレーザ露光ユニット２２から放射され、上記感光体２０に照射される。すなわち、このレーザビームａで感光体２０の表面を走査，露光することにより、画像信号に対応した静電潜像が形成される。この感光体２０上の静電潜像は、現像ユニット２３の現像剤磁気ブラシＤ´中のトナーｔによって現像され、顕像（トナー像）化される。
【００３９】
一方、このトナー像の形成動作に同期して、給紙カセット７から取り出された用紙Ｐ、または手差しトレイ１５から手差し給紙された用紙Ｐがアライニングローラ対３１を介して画像転写部２８に送り込まれる。これにより、あらかじめ感光体２０上に形成された上記トナー像が、転写手段２４の作用により用紙Ｐ上に転写される。
【００４０】
ついで、トナー像の転写された用紙Ｐは、搬送ガイド３７による案内で用紙搬送路２９を通過して定着ユニット３３に送り込まれ、ここで前記トナー像が用紙Ｐ上に溶融定着される。この後、上記用紙Ｐは、排紙ローラユニット３４を介して排紙部６に排出される。
【００４１】
なお、用紙Ｐ上にトナー像を転写した後の感光体２０は、導電性ブラシからなるメモリ除去手段２５によって表面に残る残留トナーが静電的に吸引されて除去される。これにより、感光体２０の表面上では均一に分布するようになり、現像ユニット２３により機械的，静電的に吸収される。
【００４２】
また、前記定着ユニット３３は、ヒータランプ４０を内蔵したヒートローラ４１と、このヒートローラ４１に圧接された加圧ローラ４２とを備えた構成とされている。そして、これらローラ４１，４２間を用紙Ｐが通過することにより、トナー像が用紙Ｐに溶融定着されるようになっている。
【００４３】
さらに、上記ヒートローラ４１および加圧ローラ４２は、下部ケーシング４３および上部ケーシング４４によって囲繞されている。そして、定着に必要な良好な温度雰囲気を確保できるように、極力、外部に熱が逃げないような構造となっている。
【００４４】
また、上部ケーシング４４内で、かつヒートローラ４１と加圧ローラ４２との接触部４７の上流側近傍には用紙ガイド４８が配置されており、定着ユニット３３に導かれた用紙Ｐの先端を確実にヒートローラ４１と加圧ローラ４２との間に案内できるようになっている。
【００４５】
さらに、定着ユニット３３の用紙Ｐの出口側には、下部ケーシング４３と一体に用紙ガイド４９が設けられており、定着済みの用紙Ｐを排紙ローラユニット３４に導くようになっている。
【００４６】
この排紙ローラユニット３４は、下部ローラ５０と上部ローラ５１とからなり、その搬送方向には、用紙Ｐの非画像形成面側に接する除電ブラシ５２が設けられた構成とされている。
【００４７】
装置本体１の上面の解放部１ａには、プラスチック製のトップカバー６０が開閉可能に設けられ、このトップカバー６０の内面に、前記転写手段２４、搬送ガイド３７、および除電ブラシ５２を含んで前記排紙ローラユニット３４の上部ローラ５１が取り付けられている。このトップカバー６０は、装置本体１の後端側上部に設けられた支軸６１を回動し得るようになっている。
【００４８】
しかして、このトップカバー６０を上方に回動操作すると、前記転写手段２４、搬送ガイド３７、および除電ブラシ５２を含んで上部ローラ５１が装置本体１の解放部１ａから引き出される。これにより、用紙搬送路２９の大部分、および用紙搬送路２９に臨む電子写真プロセスユニット３における大部分の機器が露出される。このため、用紙Ｐのつまり時におけるその除去作業などを容易に、かつ効率良く行えるようになっている。
【００４９】
また、装置本体１のリヤカバー６４も支軸６５を介して開閉可能となっており、用紙搬送路２９の起端側、つまり給紙手段２７により取り出された用紙Ｐも容易に取り除くことが可能である。
【００５０】
なお、オゾンフィルタ６２は発生するオゾンを取り除くためのものであり、トナーカートリッジ６３は補給用のトナーｔを収容するのである。
【００５１】
次に、レーザプリンタ装置１の制御系について説明する。
【００５２】
図１において、外部装置コントローラ４は、図示しない外部装置インターフェースコネクタを介して装置本体１と接続され、制御部２およびプリンタエンジン８０と電気的に接続されている。
【００５３】
制御部２は、同期回路２ａ、設定部２ｂ、位相補正部（位相補正量の判断手段を含む）２ｃを含み全体の制御を司る。
【００５４】
図７は、外部装置コントローラ４とその周辺部を示すものである。図において、ＣＰＵ７４１  は外部装置コントローラ４全体の制御を行うものである。ＲＯＭ７４２  は制御用プログラムを記憶するもので、このプログラムに従って上記ＣＰＵ７４１  が動作する。また、上記ＲＯＭ７４２  には、データ変更時に照合される暗証番号、トップマージン、レフトマージン、ペーパタイプ等の用紙Ｐに関するデータ等が記憶されている。ＲＡＭ７４３  はホスト装置１００  から送られてくる画像データを一時的に蓄えるページバッファとして用いられたり、ＣＰＵ７４１  の作業用のバッファとして用いられる。
【００５５】
拡張メモリ７４４  は、ホスト装置１００  から送られてくる画像データがビットマップデータ等の大量のデータの場合に、上記ＲＡＭ７４３  では１ページ分のデータを格納できない場合に用いられる大容量のメモリである。ビデオＲＡＭ７４５  はビットイメージに展開された画像データが格納されるもので、この出力はシリアル−パラレル変換回路７４６  に供給されるようになっている。上記シリアル−パラレル変換回路７４６  は、上記ビデオＲＡＭ７４５  においてビットイメージに展開され、パラレルデータとして送られてくる画像データをシリアルデータに変換し、制御部２に送出するものである。
【００５６】
ホストインターフェース７４８  は、ホスト装置１００  とこの外部装置コントローラ４との間のデータの受渡しを行うもので、シリアル転送ラインおよびパラレル転送ラインの２種類の転送ラインを備えるケーブルＣで接続されている。そして、ホスト装置１００  との間で転送されるデータの種類に応じて適宜使い分けることができるようになっている。
【００５７】
エンジンインターフェース７５１  は、外部装置コントローラ４と制御部２との間で画像データ出力用のビデオクロックおよび画像データを含む各種インターフェース信号の受渡しを仲介するものである。接続回路７５３  は、ＩＣカード１７をコネクタ１６，１６に挿入したり、あるいはコネクタ１６，１６から抜き取ったりする際に、ＩＣカード１７に供給する電源および信号線を遮断しておき、挿入時または抜取り時に発生するノイズによりＩＣカード１７に記憶されているデータが破壊されるのを防止するものである。
【００５８】
操作パネル制御回路７５７  は、操作パネル１４の液晶表示器に案内メッセージを表示する制御、及び操作パネル１４のＬＥＤ表示器の点灯、消灯、点滅の制御、あるいは操作パネル１４のスイッチから入力されたデータをＣＰＵ７４１  に送出する制御等を行うものである。また、内部バス７５２  は、上記ＣＰＵ７４１  、ＲＯＭ７４２  、ＲＡＭ７４３  、拡張メモリ７４４  、ビデオＲＡＭ７４５  、操作パネル制御回路７５７  、ホストインターフェース７４８  、エンジンインターフェース７５１  、および接続回路７５３  との間で相互にデータの受渡しを行うバスである。
【００５９】
図８は、プリンタエンジン８０の要部の構成を示すもので、機構部駆動回路８１には、各種モータおよびソレノイド等を駆動するための駆動回路が設けられており、制御部２から出力される２値の制御信号Ｓ１によりオン／オフが制御される。すなわち、例えば各駆動回路は「１」のときオン、「０」のときオフされ、前露光装置８２、メインモータ８３、ソレノイド８４乃至８７、および冷却ファン８８に電圧（例えば＋２４Ｖ）を通電し又は遮断するようになっている。スキャナ制御回路９０には半導体レーザ９１およびミラーモータ９２の駆動回路が設けられている。
【００６０】
半導体レーザ９１は、制御部２から出力されるレーザ変調信号Ｓ２によりオン／オフが制御され、また、ミラーモータ９２は制御部２から出力される制御信号Ｓ３によりオン／オフが制御されるようになっている。さらに、レーザ光検出センサ９３にはＰＩＮダイオードが用いられており、レーザ光がこのレーザ光検出センサ９３を通過するときにその光エネルギに比例した電流が流れる。この電流信号がレーザ光検出信号Ｓ４として制御部２へ送られ、このレーザ光検出信号Ｓ４に対応して制御部２は、水平同期信号（ＨＳＹＮＣ）を出力する。
【００６１】
図９は、制御部２中の同期回路２ａの構成例を示すもので、内部ビデオクロックを発生する内部ビデオクロック発生ブロック７０、用紙Ｐに対する画像形成エリアを確定するためのタイマである画像形成情報ブロック７１、外部装置コントローラ４への画像データ出力用のビデオクロックを合成する内部ビデオクロック合成回路７２、内部ビデオクロックを反転する反転回路７３、画像形成出力信号を出力する画像形成出力ブロック７４とから構成されている。
【００６２】
内部クロック発生ブロック７０は、入力クロック切替え回路７０ａと内部ビデオクロック発生部７０ｂとから構成されている。入力クロック切替え回路７０ａは、制御部２の図示しない基準クロック発振源からの基準クロック、またはレーザ光検出信号Ｓ４と同期のとられた内部クロックと同等の外部からのビデオクロックとを切替え、基準クロックとして内部ビデオクロック発生部７０ｂに供給する。内部ビデオクロック発生部７０ｂは、供給される基準クロックと制御部２から発生される水平同期信号（ＨＳＹＮＣ）とを合成して内部ビデオクロックを発生する。
【００６３】
内部ビデオクロック発生部７０ｂで発生された内部ビデオクロックは、画像形成情報ブロック７１、内部ビデオクロック合成回路７２、反転回路７３、画像形成出力ブロック７４、及び位相補正部２ｃに供給される。
【００６４】
画像形成情報ブロック７１は、レフトマージン用のＬマージンタイマ７５、ライトマージン用のＲマージンタイマ７６、バーチカルエリア用のＶマージンタイマ７７、紙幅エンド及び水平同期信号ＨＳＹＮＣ検出用のＢエリアタイマ７８とから構成されている。画像形成情報ブロック７１は、画像データ上に画像エリア開始信号を含む場合と、外部装置コントローラ４より画像エリア開始信号を受ける場合とでｎの数は異るが、供給される内部ビデオクロックに基づいて、上記タイマ７５〜７８を用いてビデオクロック出力分の幅（印字幅）プラスｎ（ｎは１以上の整数）だけ出される１スキャンラインの画像エリア、すなわち、ｎ個分の画像データ等による画像エリア開始信号出力用クロックを含む画像エリア情報を作成する場合と、ｎ個分の画像データ間に送られる外部装置コントローラ４からの画像エリア開始信号出力用時間を作成する。
【００６５】
画像形成情報ブロック７１で作成された画像エリア情報は、内部ビデオクロック合成回路７２、及び位相補正部２ｃに供給される。
【００６６】
内部ビデオクロック合成回路７２は、供給される内部ビデオクロックと画像エリア情報とにより、画像エリア分のビデオクロック（画像データ出力用のビデオクロック）を作成して外部装置コントローラ４に出力する。上記画像データ出力用のビデオクロックは、外部装置コントローラ４からのビットマップデータ（画像データ）を出力させるためのものである。
【００６７】
反転回路７３は、供給される内部ビデオクロックを図示しないインバータにより、内部ビデオクロックの反転クロックを位相補正部２ｃに出力する。この内部ビデオクロックの反転クロックは、位相補正部２ｃでの遅延設定における立ち上がり、立ち下がりの設定時に使用される。
【００６８】
画像形成出力ブロック７４は、画像データ・補正画像エリア合成回路７４ａを用いて、内部ビデオクロック発生部７０ｂから供給される内部ビデオクロック、位相補正部２ｃから供給される補正画像エリア情報、外部装置コントローラ４から供給される画像データとにより、画像形成出力信号（画像出力）をプリンタエンジン８０に出力する。
【００６９】
同期回路２ａの内部ビデオクロック合成回路７２は、ビデオクロックを画像データ等の条件により定められた１ライン分のビデオクロック数と、位相補正量の判断に使われるクロック数ｎ（画像データｎ）を加えた数の画像データ出力用ビデオクロックを外部装置コントローラ４に送出する。その出力タイミングに基づいて外部装置コントローラ４は、ホスト装置１００  から供給される画像データを同期回路２ａに出力するとともに、位相補正量の判断に使われるクロック数ｎにより画像エリア開始信号のタイミング（「Ｌ」レベルから「Ｈ」レベル）で位相補正部２ｃに出力し、自動補正量を設定する。
【００７０】
また、他の方法として図１０に示すように、ホスト装置１００  から供給される画像データを同期回路２ａ、及び位相補正部２ｃに出力する。画像データのｎ個、この場合は、（データ無出力状態が「Ｈ」レベル）ｎ個の初めの画像データの出力を「Ｌ」レベルとし、次の画像データ出力を「Ｈ」レベルに切換えるタイミングにより、自動補正量が設定される。
【００７１】
また、内部ビデオクロックは、画像形成用としても用いられる。
【００７２】
外部装置コントローラ４から同期回路２ａに入力される画像データは、外部装置コントローラ４内部の素子等により同期回路２ａからの内部ビデオクロックに対して遅れが発生する。この遅れは、使用する外部装置コントローラ４により異なっている。
【００７３】
本実施例においては、手動手段の場合はこの遅れの補正を位相差分１／２クロック単位で設定部２ｂを用いて設定し、自動調整手段の場合はこの遅れの補正を外部装置コントローラ４からの画像エリア開始信号により補正量の判断を行って位相差分１／２クロック単位で設定し、その設定に基づいて位相補正部２ｃが内部ビデオクロックから設定されたクロック分遅らせた補正画像エリア情報を同期回路２ａに供給する。また、自動調整手段の他の方法の場合は、外部装置コントローラ４からの画像データｎを画像エリア開始信号として出力することにより補正量の判断を行う。
【００７４】
また、設定部２ｂは、例えば、１チップのマイクロコンピュータとＲＯＭを組み合わせて構成されている。
【００７５】
図１１は制御部２中の自動的に位相補正量を判断して設定する位相補正部２ｃの構成例を示すもので、アンドゲート１１ａ〜１１ｎ、オアゲート１２ａ〜１２ｈ、ノアゲート１３ａ〜１３ｃ、Ｄ型フリップフロップ回路１９ａ〜１９ｄ、ビデオクロックディレイコントロールレジスタ（アドレス信号、アクセスライト信号）１８ａ、および外部装置コントローラ４へのビデオクロック出力カウンタ１８ｂとから構成されている。
【００７６】
設定部２ｂのアドレス（１ＣＨ）は、ビデオクロックディレイコントロールレジスタ（ＶＣＤＣレジスタ）１８ａの設定を行うための情報で、ライト信号の“Ｌ”レベルから“Ｈ”レベルへの切替わりエッジにより、データバスの設定がＶＣＤＣレジスタ１８ａから出力される。しかしながら、本実施例では、このような手動による位相補正量の設定は行わない。
【００７７】
すなわち、設定部２ｂを使用しない場合は、位相補正部２ｃ内において補正量の判断を行い、その補正量が外部装置コントローラ４からの画像エリア開始信号の“Ｌ”レベルから“Ｈ”レベルへの切替わりエッジによりビデオクロックディレイコントロールレジスタ（ＶＣＤＣレジスタ）１８ａへ書き込ませる（ただし、データ無出力状態が“Ｈ”レベルの場合）。
【００７８】
また、他の方法として図１２に示すように、位相補正部２ｃ内において補正量の判断を行い、その補正量が外部装置コントローラ４からの画像データのｎ個、この場合は、（データ無出力状態が「Ｈ」レベル）ｎ個の初めの画像データの出力を「Ｌ」レベルとし、次の画像データ出力を「Ｈ」レベルに切換えるタイミングによりビデオクロックディレイコントロールレジスタ（ＶＣＤＣレジスタ）１８ａへ書き込ませる。
【００７９】
ＶＣＤＣレジスタ１８ａは、外部装置コントローラ４からのビットマップ展開された画像データに同期させる内部ビデオクロックの遅延に対して位相調整を行うために用いられる。設定部２ｂで設定される図１３に示す８ビットの設定信号において、ビット「ＩＳＣＥ」は内部ビデオクロックの立ち上がりか立ち下がりかのエッジ設定を行い、「０」で立ち下がりエッジ、「１」で立ち上がりエッジを設定する。この時、位相補正部２ｃ内部で内部ビデオクロックとリバース内部ビデオクロックの選択が行われる。
【００８０】
また、ビット「ＩＣＤ０１」，「ＩＣＤ００」は、位相調整のために内部ビデオクロックの遅延設定を行うもので３クロックまで設定することができ、「００」で遅延なし、「０１」で１クロック遅延、「１０」で２クロック遅延、「１１」で３クロック遅延を設定する。
【００８１】
次に、内部ビデオクロックと画像データの同期調整について図１４、図１５を参照して説明する。なお、図１４において、ビデオクロックの各エッジに対してその位置を示す点線を「Ａ」〜「Ｏ」まで示しているが、図１５の「Ａ」〜「Ｏ」に対応している。
【００８２】
まず、ビデオクロックは、上述したＶＣＤＣレジスタ１８ａへの設定により同期調整位置が記号ａ〜ｈで示す８箇所のポイント（エッジ）で可能である。これに対して、外部装置コントローラ４内部の素子等により制御部２に入る画像データが遅れることは上述した通りであるが、この遅れは外部装置コントローラ４の種類によって異なる。
【００８３】
予め使用する外部装置コントローラ４の素子等による遅れを把握して、例えば、操作パネル１４を用いてキー入力することにより補正量を設定部２ｂに設定する手動手段か、または自動的に位相補正量を判断して補正量を設定する自動調整手段により画像データと画像形成用の内部ビデオクロックを同期させる。この補正量は後述するように図１３のビット位置“０”，“１”，“２”の３ビットで設定される。
【００８４】
まず、補正量を設定部２ｂから設定する手動手段について説明する。
【００８５】
設定部２ｂは、自動設定イネーブル信号をディスエーブルとして手動とする。
【００８６】
例えば、同期回路２ａから外部装置コントローラ４に出力したビデオクロックの最初の立ち下がりエッジが「ａ」から出力されたものとする。
【００８７】
そこで、外部装置コントローラ４内部の素子等による遅れで制御部２に入る画像データが、図１４の（ｂ）に示すデータスタート位置「１」の場合、図１４の（ｄ）に示す「遅延なし立ち下がり」として設定部２ｂへ設定し、同期回路２ａから供給された内部ビデオクロックがそのまま画像形成用として用いられる。この画像形成用の内部ビデオクロックに応じて、外部装置コントローラ４から送出された画像データが画像形成出力ブロック７４を通しプリンタエンジン８０でプリントアウトされる。
【００８８】
次に、例えば、外部装置コントローラ４内部の素子等による遅れで制御部２に入る画像データが、図１４の（ｂ）に示すデータスタート位置「２」の場合は、内部ビデオクロックの最初の立ち下がりエッジ「ａ」より１クロック半遅延しているので、設定部２ｂから１クロック半の遅延を設定しなければ、画像データに対してクロック数が１クロック半少なくなってしまう。従って、設定部２ｂにおいて図１５の（ａ）に示す「１クロック遅延立ち上がり」または図１５の（ｃ）に示す「２クロック遅延立ち下がり」を設定することによって、位相補正部２ｃで内部ビデオクロックを「１クロック遅延立ち上がり」または「２クロック遅延立ち上がり」させた同期用の画像エリア情報（補正）が出力される。
【００８９】
この場合、画像データとして問題なく設定されるのは、図１５の（ａ）に示す「１クロック遅延立ち上がり」または図１５の（ｃ）に示す「２クロック遅延立ち下がり」であり、他の図１４の（ｄ）に示す「遅延なし立ち上がり」〜図１４の（ｈ）に示す「１クロック遅延立ち下がり」ではＸで示す後端の画像データがなくなり、また、図１５の（ｅ）に示す「２クロック遅延立ち上がり」〜図１５の（ｉ）に示す「３クロック遅延立ち上がり」ではＹで示す前端の画像データがなくなる。なお、図１５の（ｅ）に示す「２クロック遅延立ち上がり」と図１５の（ｉ）に示す「３クロック遅延立ち上がり」とは、画像データが１クロック毎にカウントされるのでＺで示す追加最終データが付加される。
【００９０】
上述したような手動手段による設定は、設定部２ｂから図１３に示すようなビット位置“０”〜“７”までの８ビットの設定信号を位相補正部２ｃに出力することによって行われる。例えば、図１５の（ａ）に示す「１クロック遅延立ち上がり」の設定の場合、この８ビットの設定信号は、“０”“ビット位置が立ち上がりエッジで「１」となり、“１”ビット位置が１クロック遅延で「１」となり、“２”ビット位置が１クロック遅延で「０」となる。なお、“３”〜“７”ビット位置は本実施例には関係がないので説明を省略する。
【００９１】
これに対して補正量を自動的に設定する自動調整手段について説明する。
【００９２】
設定部２ｂからは、自動設定イネーブル信号がアンドゲート１１ｊ，１１ｋ，１１ｌ，１１ｍに出力される。
【００９３】
アンドゲート１１ｊは、自動設定イネーブル信号と同期回路２ａからの内部ビデオクロックの出力時のクロックレベル“Ｌ”または“Ｈ”によりオアゲート１２ｅを介してＶＣＤＣレジスタ１８ａのＤＡ入力を設定する。同期回路２ａからのクリア信号と設定部２ｂからの自動設定イネーブル信号とによりカウンタ１８ｂは、クロックの遅延をカウントし、ＱＡ出力がオアゲート１２ｆを介してＶＣＤＣレジスタ１８ａのＤＢ入力を設定し、ＱＢ出力がオアゲート１２ｇを介してＶＣＤＣレジスタ１８ａのＤＣ入力を設定する。
【００９４】
また、オアゲート１２ｅの一方の入力はアンドゲート１１ｋを介してデータバスＩＤ０が入力され、オアゲート１２ｆの一方の入力はアンドゲート１１ｌを介してデータバスＩＤ１が入力され、オアゲート１２ｇの一方の入力はアンドゲート１１ｍを介してデータバスＩＤ２が入力される。なお、アンドゲート１１ｋ，１１ｌ，１１ｍの一方の入力は、設定部２ｂからの自動設定イネーブル信号であり、設定部２ｂで自動調整手段に設定されているので入力値は「０」である。
【００９５】
図１６は、自動調整手段による位相の補正設定の動作論理表を示すものである。例えば、カウンタ１８ｂの出力値ＱＢが「０」、出力値ＱＡが「１」、内部ビデオクロックの出力時のクロックレベルが「Ｈ」の場合、「１クロック遅延  立ち下がり」と設定され、出力値ＱＢが「１」、出力値ＱＡが「０」、画像データｎ個の補正量判定時の出力時のクロックレベルが「Ｈ」の場合、「２クロック遅延  立ち下がり」と設定される。
【００９６】
また、オアゲート１２ｈは、外部装置コントローラ４からの画像エリア開始信号を含むビデオクロックｎ個、又は画像エリア開始信号によるＤ型フリップフロップ回路１９ｄのＱ出力を一方の入力とし、設定部２ｂからのアドレス信号とライト信号を入力とするオアゲート１２ｂの出力を他方の入力として、その出力をＶＣＤＣレジスタ１８ａのＣＫ端子入力とすることにより、画像データ開始を自動判定し、ＶＣＤＣレジスタ１８ａに設定値を設定する。
【００９７】
図１７は、画像データのｎ個を使用し、自動調整を行う場合の例を示すものである。図１７の（ａ）に示す画像形成情報ブロック７１から出力されたビデオクロックに対して、図１７の（ｂ）に示すように画像データが遅れている場合、画像データの自動調整用ｎ個のデータ、すなわち「Ｐ」で示す最初のエッジを自動調整用の補正量設定として使用する。図１７の（ｃ）に示す動作論理表から自動判定値として図１７の（ｄ）に示すようにビデオクロック出力カウンタ１８ｂのクロックレベルは「０」、ＱＡは「１」、ＱＢは「０」となり、図１７の（ｅ）に示すようにＶＣＤＣレジスタ１８ａに書込まれる値は、ＤＡのクロックレベル：１、ＤＢのＱＡ：１、ＤＣのＱＢ：０で補正され、「１クロック遅延  立ち上がり」の設定となる。
【００９８】
図１８は、画像エリア開始信号を使用し、自動調整を行う場合の例を示すものである。図１８の（ａ）に示す画像形成情報ブロック７１から出力されたビデオクロックに対して、図１８の（ｂ）に示すように画像データが遅れている場合、図１８の（ｃ）に示すような画像エリア開始信号が出力され、「Ｒ」で示す画像エリア開始信号のエッジを自動調整用の補正量設定として使用する。図１８の（ｄ）に示す動作論理表から自動判定値として図１８の（ｅ）に示すようにビデオクロック出力カウンタ１８ｂのクロックレベルは「０」、ＱＡは「０」、ＱＢは「１」となり、図１８の（ｆ）に示すようにＶＣＤＣレジスタ１８ａに書込まれる値は、ＤＡのクロックレベル：１、ＤＢのＱＡ：０、ＤＣのＱＢ：１で補正され、「２クロック遅延  立ち上がり」の設定となる。
【００９９】
上記のような設定部２ｂへの手動設定による情報、または自動調整手段の設定による情報により、位相補正部２ｃにおける各回路構成素子の動作論理表を図１９に示す。図１９の「構成素子」の項において、「１８ａＱＡ」はＶＣＤＣレジスタ１８ａのＱＡ出力であり、「１８ａＱＢ」はＶＣＤＣレジスタ１８ａのＱＢ出力であり、「１８ａＱＣ」はＶＣＤＣレジスタ１８ａのＱＣ出力であり、「１１ｂ，１１ｃ，１１ｄ」はそれぞれのアンドゲート出力であり、「１３ｂ」はノアゲート出力であり、「１１ｅ，１１ｆ，１１ｇ，１１ｈ」はそれぞれのアンドゲート出力であり、「１２ｃ」はオアゲート出力であり、「１９ａ  Ｄ入力」はＤ型フリップフロップ回路１９ａのＤ入力であり、「１９ａ  Ｑ出力」はＤ型フリップフロップ回路１９ａのＱ出力であり、「１９ｂ  Ｑ出力」はＤ型フリップフロップ回路１９ｂのＱ出力であり、「１９ｃ  Ｑ出力」はＤ型フリップフロップ回路１９ｃのＱ出力である。
【０１００】
従って図１９の動作論理表から、Ｄ型フリップフロップ回路１９ａのＤ入力は遅延なしのそのままの画像エリア情報となり、Ｄ型フリップフロップ回路１９ａのＱ出力は１クロック遅延の画像エリア情報となり、Ｄ型フリップフロップ回路１９ｂのＱ出力は２クロック遅延の画像エリア情報となり、Ｄ型フリップフロップ回路１９ｃのＱ出力は３クロック遅延の画像エリア情報となる。
【０１０１】
図２０は、この時の内部ビデオクロックとリバース内部ビデオクロックによる「遅延なしの立ち上がり、立ち下がり」、「１クロック遅延の立ち上がり、立ち下がり」、「２クロック遅延の立ち上がり、立ち下がり」、「３クロック遅延の立ち上がり、立ち下がり」を示している。なお、アンドゲート１１ｅ〜１１ｈは、アンドゲート１１ｂ〜１１ｄとノアゲート１３ｂによって定められ、その設定はＶＣＤＣレジスタ１８ａの設定による。
【０１０２】
このような設定信号が、図１１に示すＶＣＤＣレジスタ１８ａの入力端子ＤＡに１ビット目、入力端子ＤＢに２ビット目、入力端子ＤＣに３ビット目、入力端子ＤＤに４ビット目、入力端子ＤＥに５ビット目が入力される。なお、４ビット目と５ビット目は本実施例に関係がないので説明を省略する。
【０１０３】
まず、ＶＣＤＣレジスタ１８ａは、図示しないマイクロコンピュータからのリセット、及び電源投入時等で、クリア信号によって初期化される。
【０１０４】
手動手段の場合、初期化されたＶＣＤＣレジスタ１８ａは、上記データバスからの設定信号がアドレス信号によりＶＣＤＣレジスタ１８ａのレジスタが選ばれ、ライト信号の立ち上がりエッジをクロックとしてＶＣＤＣレジスタ１８ａのレジスタにラッチ（ホールド）される。
【０１０５】
また、自動調整手段の場合、初期化されたＶＣＤＣレジスタ１８ａは、上述したオアゲート１２ｅ，１２ｆ，１２ｇからの設定信号が、外部装置コントローラ４からの画像エリア開始信号の立ち上がりエッジをクロックとしてＶＣＤＣレジスタ１８ａのレジスタにラッチ（ホールド）される。
【０１０６】
ＶＣＤＣレジスタ１８ａの出力端子ＱＡからは、アンドゲート１１ａ，１１ｉ、およびノアゲート１３ａ，１３ｃに、立ち上がりまたは立ち下がりの選択クロックを出力する。ＶＣＤＣレジスタ１８ａの出力端子ＱＢ，ＱＣからは、アンドゲート１１ｂ〜１１ｈ、ノアゲート１３ｂに、遅延設定された画像エリア情報を出力し、ＱＢ，ＱＣで設定された画像エリア情報がオアゲート１２ｃより合成されて出力される。
【０１０７】
アンドゲート１１ｂ〜１１ｄ，およびノアゲート１３ｂは、アンドゲート１１ｅ〜１１ｈの選択を１つとするためのもので、Ｄ型フリップフロップ回路１９ａ〜１９ｃによる画像エリア遅延の選択にあわせて合成するための回路である。
【０１０８】
出力端子ＱＤ，ＱＥは、本発明と直接に関係がないので説明を省略する。
【０１０９】
アンドゲート１１ｂ〜１１ｄ，およびノアゲート１３ｂは、設定によりアンドゲート１１ｅ〜１１ｈの中の１つに「１」を出力し、画像エリア情報が合成される。
【０１１０】
一方、内部ビデオクロックは、ＱＡ設定出力により、オアゲート１２ｄで立ち上がり立ち下がりのクロックを選択し、Ｄ型フリップフロップ１９ａ，１９ｂ，１９ｃのクロック入力端子ＣＫに出力する。なお、Ｄ型フリップフロップ１９ａ，１９ｂ，１９ｃは、１ラインごとのクリア信号により初期化される。
【０１１１】
以上詳述したようにこの発明によれば、外部装置コントローラから入力される画像データの遅れ時間の補正を、位相差１／２クロック単位で補正の設定をし、画像形成用の内部ビデオクロックを１／２クロック単位で設定されたクロック分遅らせてスタートさせることにより、正確に画像形成をすることができる。
【０１１２】
上記の補正により、１ライン分の画像データにより定められた内部ビデオクロック数の変更をすることなく、信号調整部を付加することもなく、制御部で画像データと同期したビデオクロックを供給することができる。
【０１１３】
なお、上記実施例では、画像エリア開始信号に画像データｎ個を用いたが、画像データ上に信号を含めない別の画像エリア開始信号を送るようにしても良い。
【０１１４】
【発明の効果】
以上詳述したようにこの発明によれば、ビデオクロック数を変更することなく、信号調整部を付加することもなく、簡単な構成で内部ビデオクロックを外部から供給された画像データに自動的に同期させることのできるデータ送受信装置を提供することができる。
【図面の簡単な説明】
【図１】この発明の一実施例におけるシステム全体の構成を概略的に示すブロック図。
【図２】この発明の他の実施例におけるシステム全体の構成を概略的に示すブロック図。
【図３】図１中のレーザプリンタ装置を示す外観斜視図。
【図４】図１中のレーザプリンタ装置を示す構成図。
【図５】図１中のレーザプリンタ装置を示す構成図。
【図６】図１中のレーザプリンタ装置を示す斜視図。
【図７】外部装置コントローラの概略構成を示すブロック図。
【図８】プリンタエンジン要部の構成を示すブロック図。
【図９】同期回路の構成例を示すブロック図。
【図１０】同期回路の他の構成例を示すブロック図。
【図１１】位相補正部の構成例を示すブロック図。
【図１２】位相補正部の他の構成例を示すブロック図。
【図１３】設定信号を説明するためのビット構成図。
【図１４】ビデオクロックと画像データの同期調整について説明するためのタイミングチャート。
【図１５】ビデオクロックと画像データの同期調整について説明するためのタイミングチャート。
【図１６】位相補正部における自動調整手段による位相補正の設定の動作論理表を示す図。
【図１７】画像データのｎ個を使用し、自動調整する場合を説明する図。
【図１８】画像エリア開始信号を使用し、自動調整する場合を説明する図。
【図１９】位相補正部における各回路構成素子の動作論理表を示す図。
【図２０】内部ビデオクロックとリバース内部ビデオクロックと画像エリア情報の遅延位置を説明するための図。
【符号の説明】
１…レーザプリンタ装置
２…制御部
２ａ…同期回路
２ｂ…設定部
２ｃ…位相補正部
４…外部装置コントローラ
１８ａ…ビデオクロックディレイコントロールレジスタ
１８ｂ…カウンタ
８０…プリンタエンジン
１００  …ホスト装置
【図１】
0003547781.tif 000002
【図２】
0003547781.tif 000003
【図３】
0003547781.tif 000004
【図４】
0003547781.tif 000005
【図５】
0003547781.tif 000006
【図６】
0003547781.tif 000007
【図７】
0003547781.tif 000008
【図８】
0003547781.tif 000009
【図９】
0003547781.tif 000010
【図１０】
0003547781.tif 000011
【図１１】
0003547781.tif 000012
【図１２】
0003547781.tif 000013
【図１３】
0003547781.tif 000014
【図１４】
0003547781.tif 000015
【図１５】
0003547781.tif 000016
【図１６】
0003547781.tif 000017
【図１７】
0003547781.tif 000018
【図１８】
0003547781.tif 000019
【図１９】
0003547781.tif 000020
【図２０】
0003547781.tif 000021